(57)【特許請求の範囲】
【請求項１】
前面キャビネット及び背面キャビネットによって形成される空間に表示モジュールが収容され、複数のケーブルを接続するための接続部と、接続された各ケーブルを結束するためのクランプ部材とを前記背面キャビネットに備える表示装置において、
前記クランプ部材は、横方向の位置が前記背面キャビネットの中心より一方の側方側に配置されており、
前記接続部は、
縦方向の位置が前記クランプ部材よりも上側で、横方向の位置が前記クランプ部材よりも他方の側方側に配置された第１接続端子と、
縦方向の位置が前記第１接続端子よりも上側で、横方向の位置が前記クランプ部材よりも前記一方の側方側に配置された第２接続端子と
を備えることを特徴とする表示装置。
【請求項２】
前記第１接続端子の配置領域及び前記第２接続端子の配置領域がクランク状に連結された溝部が前記背面キャビネットに設けられ、
前記溝部を構成する側面のうちの前記一方の側方側に向いている側面に前記第１接続端子及び前記第２接続端子が配置されていること
を特徴とする請求項１に記載の表示装置。
【請求項３】
前記接続部は、
前記第１接続端子が配置された側面及び前記第２接続端子が配置された側面に連なった側面に第３接続端子をさらに備えること
を特徴とする請求項２に記載の表示装置。
【請求項４】
前記クランプ部材は前記溝部に設けられていること
を特徴とする請求項１乃至請求項３のいずれか１つに記載の表示装置。
【請求項５】
前記第２接続端子に接続されたケーブルを結束するための他のクランプ部材をさらに備え、
該他のクランプ部材は、
前記溝部の前記第１接続端子の配置領域及び前記第２接続端子の配置領域の間に配置されていること
を特徴とする請求項１乃至請求項４のいずれか１つに記載の表示装置。
【発明の詳細な説明】
【技術分野】
【０００１】
本発明は、前面キャビネット及び背面キャビネットによって形成される空間に表示モジュールが収容され、複数のケーブルを接続するための接続部と、接続された各ケーブルを結束するためのクランプ部材とを背面キャビネットに備える表示装置に関する。
【背景技術】
【０００２】
近年、様々な表示装置が実用化されているが、表示装置の一種である液晶表示装置は、小型、薄型、低消費電力を特徴とし、近年ではその表示品位の向上により、従来のＣＲＴに替わるディスプレイとして普及しつつある（例えば特許文献１参照。）。
【０００３】
テレビジョンのような表示装置は、放送波を入力するためのアンテナ端子、映像信号を入力するための映像入力端子、Ｂ−ＣＡＳカードスロットなどの複数の接続部を備えている。近年では、デジタル家電と位置付けられ、電話回線などを通じてインターネットに接続するなどの機能を備えた機器も実用化されている。このように、近年の表示装置は、様々かつ多数のケーブルに接続されるようになってきている。
【０００４】
図５は従来の表示装置の外観を示す背面側斜視図である。表示装置は、前面キャビネット１２０及び背面キャビネット１３０によって形成される空間に表示モジュールが収容された構成をなしている。背面キャビネット１３０は、背面上側から下側に延出した略方形状の溝部１３３を有し、その溝部１３３の一側面１３３ａに上述したような接続端子１３１が設けられている。これは、ユーザのケーブル接続作業の容易性（例えば、画面を見ている方向から簡単にケーブルを接続端子１３１に接続できるようにすること）を考慮したものである。
【０００５】
各種の接続端子１３１が設けられた溝部１３３は、ケーブルの接続作業が簡単になるように背面キャビネット裏面の側縁部に近い位置に配置されることが好ましい。また、接続されたケーブルは、スタンド１４０の支柱部分に引き回される。スタンド１４０の支柱部分にはクランプ部材１３５が設けられており、引き回されたケーブルはクランプ部材１３５によって結束される。さらに、図示しない蓋部によって溝部１３３を覆って、意匠性を向上する。
【特許文献１】特開２００４−５３７４９号公報
【発明の開示】
【発明が解決しようとする課題】
【０００６】
ところで、上述したような従来の表示装置においては、図６に示すように、背面キャビネット１３０の上部に設けられた接続端子１３１ａに接続されたケーブル１５０ａの引き回し状態と、下側に設けられた接続端子１３１ｂに接続されたケーブル１５０ｂの引き回し状態とが異なる。下側のケーブル１５０ａは、接続端子１３１ａから一旦、背面キャビネット裏面の側部方向に引き回しされた後にクランプ部材１３５に結束されることから、角度が略１８０度折れ曲がるような引き回し状態となりやすい（矢印Ｚ）。このような引き回し状態が生じた場合、折曲部分Ｚにてケーブル１５０ｂが断線及び破損するなどの不具合が発生する虞がある。例えば、近年では大容量の情報量を伝送するために光ファイバーなどの光ケーブルを利用する例も多く、折曲具合によって伝送帯域が狭まってしまい、大容量伝送の仕様を妨げる要因となる虞がある。
【０００７】
また、一方で、接続端子１３１ａ，１３１ｂの横方向の位置をクランプ部材１３５の位置（ここではスタンド１４０の支柱部分）に近づけることにより、角度が略１８０度折れ曲がるような引き回し状態を解消することができるが、接続端子１３１が背面キャビネットの側方から離れてしまうことから、ユーザによるケーブルの接続端子への接続作業が簡単な作業ではなくなってしまうという問題がある。
【０００８】
本発明は斯かる事情に鑑みてなされたものであり、背面キャビネット下部に設けられた接続部に接続されたケーブルの引き回しによる急な折り曲げを防止するとともに、背面キャビネット上部に設けられた接続部に接続されたケーブルの接続作業を容易にすることができる表示装置の提供を目的とする。
【０００９】
また本発明は、表示装置の厚みを厚くすることなく、接続端子数を増設することができる表示装置の提供を目的とする。
【課題を解決するための手段】
【００１０】
本発明に係る表示装置は、前面キャビネット及び背面キャビネットによって形成される空間に表示モジュールが収容され、複数のケーブルを接続するための接続部と、接続された各ケーブルを結束するためのクランプ部材とを前記背面キャビネットに備える表示装置において、前記クランプ部材は、横方向の位置が前記背面キャビネットの中心より一方の側方側に配置されており、前記接続部は、縦方向の位置が前記クランプ部材よりも上側で、横方向の位置が前記クランプ部材よりも他方の側方側に配置された第１接続端子と、縦方向の位置が前記第１接続端子よりも上側で、横方向の位置が前記クランプ部材よりも前記一方の側方側に配置された第２接続端子とを備えることを特徴とする。
【００１１】
本発明にあっては、横方向の位置が背面キャビネットの中心より一方の側方側にクランプ部材を配置する。そして、縦方向の位置がクランプ部材よりも上側で、横方向の位置がクランプ部材よりも他方の側方側に配置された第１接続端子と、縦方向の位置が第１接続端子よりも上側で、横方向の位置がクランプ部材よりも前記一方の側方側に配置された第２接続端子とを接続部に設ける。これにより、第１接続端子及び第２接続端子にケーブルを接続し、接続した各ケーブルをクランプ部材で結束した場合であっても、第１接続端子に接続されるケーブルは、急な折り曲げが生じることなく、クランプ部材へと引き回される。また、第２接続端子は一方の側方側に配置されることから、ユーザは画面を見ている方向から簡単にケーブルを第２接続端子に接続することができ、ケーブルの接続作業が容易である。
【００１２】
本発明に係る表示装置は、前記第１接続端子の配置領域及び前記第２接続端子の配置領域がクランク状に連結された溝部が前記背面キャビネットに設けられ、前記溝部を構成する側面のうちの前記一方の側方側に向いている側面に前記第１接続端子及び前記第２接続端子が配置されていることを特徴とする。
【００１３】
本発明にあっては、溝部を構成する側面のうちの一方の側方側に向いている側面に第１接続端子及び第２接続端子を配置する。これにより、いずれのケーブルも同一方向から第１接続端子及び第２接続端子に接続される。
【００１４】
本発明に係る表示装置は、前記接続部が、前記第１接続端子が配置された側面及び前記第２接続端子が配置された側面に連なった側面に第３接続端子をさらに備えることを特徴とする。
【００１５】
本発明にあっては、第１接続端子が配置された側面及び第２接続端子が配置された側面に連なる側面に第３接続端子をさらに設ける。これにより、第３接続端子が第１接続端子及び第２接続端子が配置された各側面と異なる側面に配置されることから、表示装置の厚みを厚くすることなく、接続端子数が増設される。
【００１６】
本発明に係る表示装置は、前記クランプ部材が前記溝部に設けられていることを特徴とする。
【００１７】
本発明にあっては、背面キャビネットに設けた溝部にクランプ部材を設けることにより、溝部にて、各接続端子に接続された各ケーブルを結束する。
【００１８】
本発明に係る表示装置は、前記第２接続端子に接続されたケーブルを結束するための他のクランプ部材をさらに備え、該他のクランプ部材は、前記溝部の前記第１接続端子の配置領域及び前記第２接続端子の配置領域の間に配置されていることを特徴とする。
【００１９】
本発明にあっては、溝部の第１接続端子の配置領域及び第２接続端子の配置領域の間に、第２接続端子に接続されたケーブルを結束するための他のクランプ部材をさらに設けることにより、第２接続端子に接続されたケーブルの溝部のクランク位置における位置を規制することができる。
【発明の効果】
【００２０】
本発明によれば、第１接続端子は、横方向の位置が背面キャビネットの中心より一方の側方側に配置されたクランプ部材よりも縦方向の位置が上側で、横方向の位置がクランプ部材よりも他方の側方側に配置されることから、第１接続端子に接続されるケーブルをクランプ部材へと引き回した場合であっても、急な折り曲げの発生を防止することができる。また、第２接続端子は、縦方向の位置が第１接続端子よりも上側で、横方向の位置がクランプ部材よりも前記一方の側方側に配置されることから、ユーザは画面を見ている方向から簡単にケーブルを第２接続端子に接続することができ、ケーブルの接続作業が容易である。したがって、例えば、着脱を頻繁に行なうケーブルに対応する接続端子を第２接続端子として適宜の位置に配置することにより、ユーザによるケーブルの接続作業を容易にできる。一方、あまり着脱を行なうことのないケーブルに対応する接続端子を第１接続端子として扱うことにより、背面キャビネット下部に配置された場合であっても、角度が略１８０度折れ曲がるような引き回し状態を防止して、ケーブルの断線及び破損などの不具合を防止することができる。
【００２１】
本発明によれば、背面キャビネットに、第１接続端子の配置領域及び第２接続端子の配置領域がクランク状に連結された溝部を設け、その溝部を構成する側面のうちの一方の側方側に向いている側面に第１接続端子及び第２接続端子を配置する構成としたので、いずれのケーブルも同一方向、つまり一方の側方側から第１接続端子及び第２接続端子に接続できる。
【００２２】
本発明によれば、第１接続端子が配置された側面及び第２接続端子が配置された側面に連なる側面に第３接続端子をさらに設ける構成としたので、第３接続端子が第１接続端子及び第２接続端子が配置された各側面と異なる側面に配置されることから、表示装置の厚みを厚くすることなく、接続端子数を増設することができる。
【００２３】
本発明によれば、背面キャビネットに設けた溝部にクランプ部材を設けることにより、溝部にて、各接続端子に接続された各ケーブルを結束する。意匠性の観点から、蓋部によって溝部を覆った場合であっても、溝部にて各ケーブルが結束されているので、ケーブルの位置が変ることがない。したがって、溝部の状態が蓋部で隠匿されてしまっても、ユーザはケーブルの状態を心配する必要がないので安心である。
【００２４】
本発明によれば、溝部の第１接続端子の配置領域及び第２接続端子の配置領域の間に設けた他のクランプ部材によって、第２接続端子に接続されたケーブルの溝部のクランク位置における位置を規制することができる等、優れた効果を奏する。
【発明を実施するための最良の形態】
【００２５】
以下、本発明をその実施の形態を示す図面に基づいて詳述する。
【００２６】
図１は本発明に係る表示装置の外観を示す前面側斜視図、図２は本発明に係る表示装置の外観を示す背面側斜視図である。図３は本発明に係る表示装置の要部を拡大表示した拡大図である。
【００２７】
本発明に係る表示装置においては、表示モジュール１０が前面キャビネット２０及び背面キャビネット３０によって形成された空間内に配置されている。前面キャビネット２０には枠部２０ａが設けてあり、枠部２０ａを通じて画像表示が行なわれる。表示モジュール１０は、図示しない板材に固定されており、板材の中央下側にはスタンド４０が取り付けられている。スタンド４０は、その形状がブーメラン状であり、表示装置の重量を支持できるように高強度な金属で形成されている。
【００２８】
表示モジュール１０は、液晶パネル及び液晶パネルの背面側に設けられたバックライト装置などからなるモジュールであり、液晶パネル及びバックライト装置を動作させるの必要な制御部、チューナ部、液晶駆動ユニット、点灯回路ユニット、電源ユニットなどの各種のユニットが上述の板材に配置される。なお、表示装置を立てた状態での重量バランスを考慮して、上述した各種のユニットの配置位置が決められる。
【００２９】
背面キャビネット３０には、複数のケーブルを接続するための接続部（インタフェイス部）３１と、接続された各ケーブルを結束するためのクランプ部材３２とが設けられている。
【００３０】
クランプ部材３２は、横方向の位置が背面キャビネット３０の中心より一方の側方側（ここでは表示装置の背面から見て左側）に配置される。接続部３１は、縦方向の位置がクランプ部材３２よりも上側で、横方向の位置がクランプ部材３２よりも他方の側方側（ここでは表示装置の背面から見て右側）に配置された第１接続端子群３１ａと、縦方向の位置が第１接続端子３１ａよりも上側で、横方向の位置がクランプ部材３２よりも一方の側方側（ここでは表示装置の背面から見て左側）に配置された第２接続端子群３１ｂとを備える。なお、第１接続端子群３１ａは例えばＩＥＥＥ１３９４端子及びアンテナ端子であり、第２接続端子群３１ｂは映像入力端子及び音声入力端子、並びに映像出力端子及び音声出力端子である。
【００３１】
背面キャビネット３０には溝部３３が設けられており、この溝部３３に、上述した第１接続端子群３１ａ及び第２接続端子群３１ｂが配置される。溝部３３は、第１接続端子群３１ａの配置領域と第２接続端子群３１ｂの配置領域とがクランク状に連結された形状をなし、溝部３３を構成する側面のうちの一方の側方側（ここでは表示装置の背面から見て左側）に向いている側面３３ａ及び３３ｂに第１接続端子群３１ａ及び第２接続端子群３１ｂがそれぞれ配置されている。
【００３２】
また、接続部３１は、第１接続端子群３１ａが配置された側面３３ａ及び第２接続端子群３１ｂが配置された側面３３ｂに連なる側面３３ｃに第３接続端子群３１ｃを備える。なお、第３接続端子群３１ｃは例えば電話回線端子及びＬＡＮ端子である。このように、第３接続端子群３１ｃが第１接続端子群３１ａ及び第２接続端子群３１ｂが配置された各側面３３ａ，３３ｂと異なる側面３３ｃに配置されることから、表示装置の厚みを厚くすることなく、接続端子数を増設することができる。
【００３３】
さらに、第２接続端子群３１ｂに接続されたケーブルを結束するための他のクランプ部材３４が、溝部３３の第１接続端子群３１ａの配置領域及び第２接続端子群３１ｂの配置領域の間の領域に配置されている。さらにまた、スタンド４０の背面には、さらに別のクランプ部材３５が設けられている。
【００３４】
クランプ部材３２及びクランプ部材３５は、第１接続端子群３１ａ、第２接続端子群３１ｂ及び第３接続端子群３１ｃに接続された各ケーブルを結束する。一方、クランプ部材３４は、第２接続端子群３１ｂに接続された各ケーブルのみを結束し、第１接続端子群３１ａ及び第３接続端子群３１ｃに接続された各ケーブルを結束するものではない。クランプ部材３４により、第２接続端子群３１ｂに接続されたケーブルの溝部３３のクランク位置における位置を規制することができる。
【００３５】
図４は本発明に係る表示装置におけるケーブルの引き回し状態を説明するための図である。
第１接続端子群３１ａに接続されたケーブル５０ａは、最大でも直角程度の曲げ角度で下側のクランプ部材３２にて結束される。これにより、従来の表示装置において発生していた角度が略１８０度折れ曲がるような引き回し状態（図６参照）となることはない。したがって、第１接続端子群３１ａに接続されたケーブル５０ａの引き回しによる急な折り曲げを防止することができ、ケーブル５０ａの断線及び破損するの不具合の発生を防止することができる。
【００３６】
第２接続端子群３１ｂに接続されたケーブル５０ｂは、上側のクランプ部材３４にて結束された後に、緩やかな曲線を描いて下側のクランプ部材３２にて結束され、さらに、スタンド４０の背面に設けられたクランプ部材３５に達するまでに緩やかな曲線状にケーブル５０ｂを引き回される。また、第２接続端子群３１ｂは一方の側方側に位置することから、ユーザは画面を見ている方向から簡単にケーブル５０ｂを第２接続端子群３１ｂに接続することができ、ケーブル５０ｂの接続作業が極めて容易である。
【００３７】
上述した如く、本発明の主旨は、クランプ部材３２と、第１接続端子群３１ａ及び第２接続端子群３１ｂとの位置関係にあり、背面キャビネット下部に設けられた接続部（つまり第１接続端子群３１ａ）に接続されたケーブル５０ａの引き回しによる急な折り曲げを防止するとともに、背面キャビネット上部側方に設けられた接続部（つまり第２接続端子群３１ｂ）に接続されたケーブル５０ｂの接続作業を容易にすることができる。
【００３８】
したがって、例えば、着脱を頻繁に行なうケーブルに対応する接続端子を第２接続端子として背面キャビネット上部側方に配置することにより、ユーザによるケーブルの接続作業を容易にすることができる。一方、あまり着脱を行なうことのないケーブルに対応する接続端子を第１接続端子として扱うことにより、背面キャビネット下部に配置された場合であっても、角度が略１８０度折れ曲がるような引き回し状態を防止して、ケーブルの断線及び破損などの不具合を防止することができる。
【００３９】
なお、本実施の形態では、ＩＥＥＥ１３９４端子及びアンテナ端子を第１接続端子群、映像入力端子及び映像出力端子を第２接続端子群、電話回線端子及びＬＡＮ端子を第３接続端子群としたが、第１接続端子群、第２接続端子群及び第３接続端子群は、この組み合わせに限定されるものではなく、また接続端子の種類（規格）もこれ以外であってもよい。接続端子の他の例としては、例えば、ＰＣ入力端子（ＤＶＩ−Ｉ）、ＤＶ端子などがある。
【図面の簡単な説明】
【００４０】
【図１】本発明に係る表示装置の外観を示す前面側斜視図である。
【図２】本発明に係る表示装置の外観を示す背面側斜視図である。
【図３】本発明に係る表示装置の要部を拡大表示した拡大図である。
【図４】本発明に係る表示装置におけるケーブルの引き回し状態を説明するための図である。
【図５】従来の表示装置の外観を示す背面側斜視図である。
【図６】従来の表示装置におけるケーブルの引き回し状態を説明するための図である。
【符号の説明】
【００４１】
１０  表示モジュール
２０  前面キャビネット
３０  背面キャビネット
４０  スタンド
３１  接続部
３１ａ  第１接続端子群
３１ｂ  第２接続端子群
３１ｃ  第３接続端子群
３２  クランプ部材
３３  溝部
３３ａ，３３ｂ，３３ｃ  側面
３４  クランプ部材
３５  クランプ部材
５０ａ，５０ｂ  ケーブル
【図１】
0004526507.tif 000002
【図２】
0004526507.tif 000003
【図３】
0004526507.tif 000004
【図４】
0004526507.tif 000005
【図５】
0004526507.tif 000006
【図６】
0004526507.tif 000007